【手続補正書】
【提出日】平成16年7月21日(2004.7.21)
【手続補正１】
【補正対象書類名】明細書
【補正対象項目名】特許請求の範囲
【補正方法】変更
【補正の内容】
【特許請求の範囲】
【請求項１】
遊技領域に設けられている入賞領域に遊技球が入賞したことに応じて遊技者に遊技結果価値を付与する遊技機であって、
遊技に供される遊技用装置を制御するための遊技用装置制御マイクロコンピュータと、前記遊技用装置制御マイクロコンピュータが制御を行う際に発生する変動データを記憶するとともに電源断時から少なくとも所定期間は電源断直前の記憶内容が保持される記憶内容保持状態となることが可能な変動データ記憶手段とを含む遊技用装置制御手段を備え、
前記遊技用装置制御マイクロコンピュータは、電源電圧が低下すると前記変動データ記憶手段の記憶内容を保存するための電源断時処理を実行することが可能であり、電源投入時に電源断直前の内容が保持されている保持データにもとづいて遊技状態を復帰させる遊技状態復帰処理を実行することが可能であり、
遊技球が前記入賞領域に入賞したことを検出し、遊技結果価値の付与を行うために前記遊技用装置制御マイクロコンピュータに検出信号を出力する遊技球検出手段と、
交流電源からの交流電圧を直流電圧に変換する整流手段と、
前記整流手段によって交流電圧から変換された直流電圧から、該直流電圧よりも低い電圧であって前記遊技球検出手段に供給される直流電圧と、前記遊技球検出手段に供給される直流電圧よりも低く前記遊技用装置制御マイクロコンピュータの駆動電源電圧である直流電圧とを生成する直流電圧生成手段と、
前記整流手段によって交流電圧から変換された直流電圧を監視し、該直流電圧が前記遊技球検出手段に供給される直流電圧よりも高い電圧である第１の検出電圧に低下したことを検出したときに第１の検出信号を前記遊技用装置制御マイクロコンピュータに出力する第１の電源監視手段とを備え、
前記遊技用装置制御マイクロコンピュータは、前記第１の検出信号の入力に応じて、前記電源断時処理を実行し、
前記第１の電源監視手段が監視する直流電圧と同一の直流電圧を監視し、該直流電圧が、前記第１の検出電圧よりも低く、前記遊技用装置制御マイクロコンピュータの駆動電源電圧よりも高く設定された第２の検出電圧になったときに第２の検出信号を出力する第２の電源監視手段を備え、
前記第２の電源監視手段は、前記第１の電源監視手段が前記第１の検出信号を出力した後に前記第２の電源監視手段が前記第２の検出信号を出力するまでに前記遊技用装置制御マイクロコンピュータが前記電源断時処理を完了するように設定された前記第２の検出電圧になったときに前記遊技用装置制御マイクロコンピュータに前記第２の検出信号を出力し、
前記遊技用装置制御マイクロコンピュータは、前記第２の検出信号の入力に応じて動作停止状態とされる
ことを特徴とする遊技機。
【請求項２】
遊技用装置制御手段は、遊技の結果に応じて遊技者に賞球を払い出すための賞球装置を制御する賞球制御手段と、前記賞球制御手段に賞球を払い出させるためのコマンドを出力する遊技制御手段とを含み、
第１の電源監視手段は、前記賞球制御手段と前記遊技制御手段とのそれぞれに対応して設けられ、
前記遊技制御手段に対応する第１の電源監視手段における第１の検出電圧は、前記賞球制御手段に対応する第１の電源監視手段における第１の検出電圧よりも高く設定されている
請求項１記載の遊技機。
【請求項３】
第１の検出信号は遊技用装置制御マイクロコンピュータの入力ポート回路に入力され、遊技用装置制御マイクロコンピュータは、前記入力ポート回路の状態を監視することによって電源断時処理を実行する決定を行う
請求項１または請求項２記載の遊技機。
【請求項４】
遊技用装置制御手段が搭載された遊技用装置制御基板には遊技球検出手段の検出信号を入力するための検出入力手段としての入力部が設けられ、
第１の検出信号の入力ポート回路として、前記検出入力手段としての入力部と同一の入力部が用いられる
請求項３記載の遊技機。
【請求項５】
遊技用装置制御マイクロコンピュータは、定期的に発生する割込にもとづいて、遊技に供される遊技用装置を制御するための遊技装置制御処理を実行し、前記遊技装置制御処理の終了後または開始前に入力ポート回路を介して第１の検出信号を監視する
請求項３または請求項４記載の遊技機。
【請求項６】
遊技用装置制御マイクロコンピュータは、電源断時処理にて変動データ記憶手段へのアクセスを防止する処理を実行する
請求項１から請求項５のうちのいずれかに記載の遊技機。
【手続補正２】
【補正対象書類名】明細書
【補正対象項目名】００１０
【補正方法】変更
【補正の内容】
【００１０】
【課題を解決するための手段】
本発明による遊技機は、遊技領域に設けられている入賞領域に遊技球が入賞したことに応じて遊技者に遊技結果価値を付与する遊技機であって、遊技に供される遊技用装置を制御するための遊技用装置制御マイクロコンピュータと、遊技用装置制御マイクロコンピュータが制御を行う際に発生する変動データを記憶するとともに電源断時から少なくとも所定期間は電源断直前の記憶内容が保持される記憶内容保持状態となることが可能な変動データ記憶手段とを含む遊技用装置制御手段を備え、遊技用装置制御マイクロコンピュータは、電源電圧が低下すると変動データ記憶手段の記憶内容を保存するための電源断時処理を実行することが可能であり、電源投入時に電源断直前の内容が保持されている保持データにもとづいて遊技状態を復帰させる遊技状態復帰処理を実行することが可能であり、遊技球が入賞領域に入賞したことを検出し、遊技結果価値の付与を行うために遊技用装置制御マイクロコンピュータに検出信号を出力する遊技球検出手段と、交流電源からの交流電圧を直流電圧に変換する整流手段と、整流手段によって交流電圧から変換された直流電圧から、該直流電圧よりも低い電圧であって遊技球検出手段に供給される直流電圧と、遊技球検出手段に供給される直流電圧よりも低く遊技用装置制御マイクロコンピュータの駆動電源電圧である直流電圧とを生成する直流電圧生成手段と、整流手段によって交流電圧から変換された直流電圧を監視し、該直流電圧が遊技球検出手段に供給される直流電圧よりも高い電圧である第１の検出電圧に低下したことを検出したときに第１の検出信号を遊技用装置制御マイクロコンピュータに出力する第１の電源監視手段とを備え、遊技用装置制御マイクロコンピュータは、第１の検出信号の入力に応じて、電源断時処理を実行し、第１の電源監視手段が監視する直流電圧と同一の直流電圧を監視し、該直流電圧が、第１の検出電圧よりも低く、遊技用装置制御マイクロコンピュータの駆動電源電圧よりも高く設定された第２の検出電圧になったときに第２の検出信号を出力する第２の電源監視手段を備え、第２の電源監視手段は、第１の電源監視手段が第１の検出信号を出力した後に第２の電源監視手段が第２の検出信号を出力するまでに遊技用装置制御マイクロコンピュータが電源断時処理を完了するように設定された第２の検出電圧になったときに遊技用装置制御マイクロコンピュータに第２の検出信号を出力し、遊技用装置制御マイクロコンピュータは、第２の検出信号の入力に応じて動作停止状態とされることを特徴とする。なお、遊技結果価値とは、遊技球の払い出しや、画像式遊技機の場合の得点の加点を示す概念である。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
遊技用装置制御手段は、遊技の結果に応じて遊技者に賞球を払い出すための賞球装置を制御する賞球制御手段と、賞球制御手段に賞球を払い出させるためのコマンドを出力する遊技制御手段とを含み、第１の電源監視手段は、賞球制御手段と遊技制御手段とのそれぞれに対応して設けられ、遊技制御手段に対応する第１の電源監視手段における第１の検出電圧は、賞球制御手段に対応する第１の電源監視手段における第１の検出電圧よりも高く設定される構成であってもよい。
【手続補正８】
【補正対象書類名】明細書
【補正対象項目名】００１６
【補正方法】変更
【補正の内容】
【００１６】
第１の検出信号は遊技用装置制御マイクロコンピュータの入力ポート回路に入力され、遊技用装置制御マイクロコンピュータは、入力ポート回路の状態を監視することによって電源断時処理を実行する決定を行うように構成されていてもよい。
【手続補正９】
【補正対象書類名】明細書
【補正対象項目名】００１７
【補正方法】変更
【補正の内容】
【００１７】
遊技用装置制御手段が搭載された遊技用装置制御基板には遊技球検出手段の検出信号を入力するための検出入力手段としての入力部が設けられ、第１の検出信号の入力ポート回路として、検出入力手段としての入力部と同一の入力部が用いられる構成であってもよい。
【手続補正１０】
【補正対象書類名】明細書
【補正対象項目名】００１８
【補正方法】変更
【補正の内容】
【００１８】
遊技用装置制御マイクロコンピュータは、定期的に発生する割込にもとづいて、遊技に供される遊技用装置を制御するための遊技装置制御処理を実行し、遊技装置制御処理の終了後または開始前に入力ポート回路を介して第１の検出信号を監視するように構成されていてもよい。
【手続補正１１】
【補正対象書類名】明細書
【補正対象項目名】００１９
【補正方法】変更
【補正の内容】
【００１９】
遊技用装置制御マイクロコンピュータは、電源断時処理にて変動データ記憶手段へのアクセスを防止する処理を実行するように構成されていてもよい。
【手続補正１２】
【補正対象書類名】明細書
【補正対象項目名】０１２９
【補正方法】変更
【補正の内容】
【０１２９】
【発明の効果】
以上のように、本発明によれば、遊技機を、所定電位電源の電圧低下を検出するための第１の電源電圧監視手段と、第１の電源監視手段が電圧低下を検出した所定期間後に電源電圧の電圧低下を検出する第２の電源監視手段とを備え、遊技用装置制御マイクロコンピュータが、第１の電源監視手段からの検出出力の入力に応じて電源断時処理を所定期間内に実行するとともに、第２の電源監視手段からの検出出力の入力に応じて動作停止状態とされるように構成したので、電源断時に確実なデータ保存を行うことができ、遊技者に不利益がもたらされることを防止することができるという効果がある。また、第２の電源監視手段は、確実に第１の電源監視手段よりも遅れて電源電圧の電圧低下を検出することができる。また、第１の電圧監視手段が電圧低下信号を出力するタイミングと第２の電圧監視手段が電圧低下信号を出力するタイミングの差である所定期間を所望の値に確実に設定することができる。また、第１の電源監視手段が監視する電源電圧が交流から直流に変換された直流電圧であり、第１の電源監視手段が、直流電圧が所定値に低下すると電源電圧が電圧低下したと判定するように構成されているので、遊技用装置制御マイクロコンピュータが必要とする電圧に対して監視範囲を広げることができ、より精密な監視を行うことができる。また、第２の電源監視手段が遊技用装置制御マイクロコンピュータの動作可能範囲内で直流電圧が所定値に低下すると電源電圧が電圧低下したと判定するように構成されているので、電源断時処理の実行時間に余裕ができ、確実に電源断時処理が実行される。
【手続補正１３】
【補正対象書類名】明細書
【補正対象項目名】０１３０
【補正方法】削除
【補正の内容】
【手続補正１４】
【補正対象書類名】明細書
【補正対象項目名】０１３１
【補正方法】削除
【補正の内容】
【手続補正１５】
【補正対象書類名】明細書
【補正対象項目名】０１３２
【補正方法】削除
【補正の内容】
【手続補正１６】
【補正対象書類名】明細書
【補正対象項目名】０１３３
【補正方法】削除
【補正の内容】
【手続補正１７】
【補正対象書類名】明細書
【補正対象項目名】０１３４
【補正方法】変更
【補正の内容】
【０１３４】
遊技用装置制御手段が、賞球制御手段と遊技制御手段とを含み、第１の電源監視手段は、賞球制御手段と遊技制御手段とのそれぞれに対応して設けられ、遊技制御手段に対応する第１の電源監視手段における第１の検出電圧は、賞球制御手段に対応する第１の電源監視手段における第１の検出電圧よりも高く設定されていることから、比較的簡単に、遊技制御手段からのコマンドが確実に賞球制御手段に受信される構成を実現することができる。
【手続補正１８】
【補正対象書類名】明細書
【補正対象項目名】０１３５
【補正方法】変更
【補正の内容】
【０１３５】
第１の検出信号が遊技用装置制御マイクロコンピュータの入力ポート回路に入力され、遊技用装置制御マイクロコンピュータが、入力ポート回路の状態を監視することによって電源断時処理を実行する決定を行うように構成されていることから、割込を使用しなくても、電源断時処理を確実に実行することができる。
【手続補正１９】
【補正対象書類名】明細書
【補正対象項目名】０１３６
【補正方法】変更
【補正の内容】
【０１３６】
第１の電源監視手段の検出出力の入力ポート回路として、遊技球検出手段の検出出力を入力するための検出入力手段としての入力部が設けられ、第１の検出信号の入力ポート回路として、検出入力手段としての入力部と同一の入力部が用いられることから、入力部の有効活用を図ることができる。
【手続補正２０】
【補正対象書類名】明細書
【補正対象項目名】０１３７
【補正方法】変更
【補正の内容】
【０１３７】
遊技用装置制御マイクロコンピュータが、定期的に発生する割込にもとづいて、遊技に供される遊技用装置を制御するための遊技装置制御処理を実行し、遊技装置制御処理の終了後または開始前に入力ポート回路を介して第１の検出信号を監視することから、遊技用装置制御手段が情報入出力を行っていない時期に電源電圧低下の判定が行われるので、情報入出力が途中で中断されてしまうことはないという効果がある。
【手続補正２１】
【補正対象書類名】明細書
【補正対象項目名】０１３８
【補正方法】変更
【補正の内容】
【０１３８】
遊技用装置制御マイクロコンピュータが、電源断時処理にて変動データ記憶手段へのアクセスを防止する処理を実行することから、電源断時に、変動データのデータが破壊されることがないという効果がある。